(57)【要約】【課題】ピストンポンプ駆動部の支持構造に用いられるシェル型針状ころ軸受を長寿命化することと、使用中の音響レベルを低減することである。【解決手段】アーマチュアシャフト４の偏心部４ａに嵌着され、ピストン８を衝合支持するシェル型針状ころ軸受７のシェル型外輪１１を、しごき工程を設けたプレス加工で形成し、このしごき工程における外輪１１の外径面となる外径側しごき面での潤滑条件を、略流体潤滑状態とすることにより、その内径面の周方向面粗度、内径真円度および筒部偏肉量を所定の数値範囲に規制し、シェル型針状ころ軸受７を長寿命化するとともに、使用中の音響レベルを低減できるようにした。【選択図】図１
2005105856.tif 000002
【特許請求の範囲】
【請求項１】
ピストンポンプの駆動部をモータ出力軸の偏心部に嵌着した針状ころ軸受で衝合支持するピストンポンプ駆動部の支持構造において、前記針状ころ軸受を、プレス加工で形成されるシェル型外輪の内径面に沿って複数の針状ころを配列したシェル型針状ころ軸受とし、前記外輪の内径面の周方向面粗度をＲａ０．０５〜０．３μｍの数値範囲に規制したことを特徴とするピストンポンプ駆動部の支持構造。
【請求項２】
ピストンポンプの駆動部をモータ出力軸の偏心部に嵌着した針状ころ軸受で衝合支持するピストンポンプ駆動部の支持構造において、前記針状ころ軸受を、プレス加工で形成されるシェル型外輪の内径面に沿って複数の針状ころを配列したシェル型針状ころ軸受とし、前記外輪の内径真円度を１０μｍ以下の数値範囲に規制したことを特徴とするピストンポンプ駆動部の支持構造。
【請求項３】
ピストンポンプの駆動部をモータ出力軸の偏心部に嵌着した針状ころ軸受で衝合支持するピストンポンプ駆動部の支持構造において、前記針状ころ軸受を、プレス加工で形成されるシェル型外輪の内径面に沿って複数の針状ころを配列したシェル型針状ころ軸受とし、前記外輪の筒部偏肉量を１０μｍ未満の数値範囲に規制したことを特徴とするピストンポンプ駆動部の支持構造。
【請求項４】
前記外輪の内径面の周方向面粗度、内径真円度および筒部偏肉量の少なくともいずれかを前記数値範囲に規制する手段が、前記シェル型外輪を形成するプレス加工にしごき工程を設け、このしごき工程における前記外輪の外径面となる外径側しごき面での潤滑条件を、略流体潤滑状態とするものである請求項１乃至３のいずれかに記載のピストンポンプ駆動部の支持構造。
【発明の詳細な説明】
【技術分野】
【０００１】
この発明は、ピストンポンプ駆動部の支持構造に関するものである。
【背景技術】
【０００２】
自動車のアンチロックブレーキシステム（ＡＢＳ）やトラクションコントロール（ＴＲＣ）等の自動ブレーキシステムには、リザーバタンクのブレーキ液をマスタシリンダへ送るピストンポンプが装備されている。この種のオイル等を圧送するピストンポンプには、電動モータの出力軸であるアーマチャシャフトに偏心部を設け、この偏心部に嵌着した転がり軸受で往復駆動されるピストンを衝合支持するようにしたものがある（例えば、特許文献１参照。）。
【０００３】
前記ピストンを衝合支持する転がり軸受に、針状ころ軸受を採用したものもある（例えば、特許文献２参照。）。針状ころ軸受は軸受投影面積が小さい割に高負荷容量と高剛性が得られる利点を有しており、上記のようなピストンポンプ駆動部の支持構造をコンパクトに設計できる。
【０００４】
前記ピストンポンプ駆動部の支持構造に採用される針状ころ軸受は、低粘度のオイル（ブレーキ液）が混入すること等で潤滑状態が希薄となり、かつ、ピストンが衝合する外輪の内径面を針状ころが高速で転走するので、この転走面で油膜切れが生じやすい。このため、外輪の内径面にスミアリング等の表面損傷や表面起点型の剥離が発生して、軸受寿命が短くなることがある。また、ＡＢＳやＴＲＣ等の自動車のブレーキシステムに装備されるピストンポンプでは、針状ころの転走に伴う軸受使用中の騒音を低くすることが要求される。
【０００５】
一方、外輪の内径面に沿って複数の針状ころを配列した針状ころ軸受には、絞り工程を含むプレス加工で形成されたシェル型外輪を用いるものがある。このシェル型外輪を用いるシェル型針状ころ軸受は、製造コストが安価となる経済的優位性からその用途が、自動車用のものを始めとして多岐に渡っている。
【０００６】
従来のシェル型外輪のプレス加工の概略工程は、以下の通りである。まず、絞り工程で円形ブランクをカップ状に成形し、決め押し工程でカップ底コーナ部を所定のコーナ半径に決め押しする。こののち、底抜き工程でカップ底中央部を打ち抜いて外輪の一方の鍔を形成し、トリミング工程でカップ上端部を均一な高さにトリミングする。絞り工程または決め押し工程の後に、しごき工程を加える場合もある。通常、これらのプレス加工は、トランスファプレスや順送りプレスを用いて行われ、トランスファプレスを用いる場合は、円形ブランクの打ち抜き工程も一緒に組み込まれることが多い。なお、外輪の他方の鍔は、熱処理後の組立て工程で、カップ上端部を内方に折り曲げることにより形成される。
【０００７】
前記シェル型外輪のブランク素材には、ＳＣＭ４１５等の肌焼鋼の鋼板が用いられ、所定の製品強度を確保するために、プレス加工後に浸炭焼入れ、焼戻し等の熱処理を施される。肌焼鋼の鋼板はＳＰＣＣ等の軟鋼板に較べて炭素含有量が多く、絞り性の目安となるｒ値が低いので、絞り工程での絞り回数を複数回に分けて、１回当たりの絞り比を小さく設定している。
【０００８】
このように、シェル型外輪は多数のプレス加工工程を経て形成されるので、金型の精度誤差や、加工工程ごとの不均一なひずみの累積により、筒部の真円度や偏肉量等の寸法精度が削り加工で形成される外輪よりも劣り、軸受の寿命も短くなる。
【０００９】
このようなシェル型針状ころ軸受の寿命を向上させることを目的として、シェル型外輪の熱処理を軸受組立て後に行い、かつ、この熱処理を浸炭窒化処理後に、さらに焼入れ、焼戻しするものとして、外輪の外径真円度を高めるとともに、各軸受部品の強度も高めるようにしたシェル型針状ころ軸受の製造方法がある（例えば、特許文献３参照。）。
【００１０】
【特許文献１】特開平８−１８２２５４号公報（第２頁、第７図）
【特許文献２】特開２００１−１８７９１５号公報（第２頁、第９図）
【特許文献３】特許第３０７３９３７号公報（第１−２頁、第１−３図）
【発明の開示】
【発明が解決しようとする課題】
【００１１】
特許文献３に記載されたシェル型針状ころ軸受の製造方法は、軸受組立て後に熱処理を行うことにより、シェル型外輪の熱ひずみを低減してその外径真円度を高めることができるが、シェル型外輪のプレス加工工程は従来と同じであるので、内径真円度や筒部の偏肉量はあまり改善されない。ちなみに、従来のシェル型外輪の内径真円度は、内径が２５ｍｍ程度のもので１５〜４０μｍであり、特許文献２に記載された製造方法のものでも１０μｍを超える。また、筒部偏肉量は、特許文献２に記載された製造方法のものも含めて、内径が２５ｍｍ程度のもので１０〜２０μｍである。
【００１２】
このため、潤滑を含めた使用条件が非常に厳しいピストンポンプ駆動部の支持構造に用いられるシェル型針状ころ軸受では、特許文献３に記載された製造方法によるものであっても、十分に満足できる長寿命化は達成されていない。
【００１３】
また、プレス加工で形成されるシェル型外輪は、削り加工で形成される外輪よりも内径面の面粗度が粗くなる。通常、削り加工で形成される外輪の内径面の面粗度はＲａ０．０５μｍ程度であるのに対して、シェル型外輪の内径面の面粗度はＲａ０．４μｍ程度である。このため、従来のシェル型針状ころ軸受は、内径面での針状ころの転走に伴う使用中の音響が大きく、特に、ＡＢＳやＴＲＣ等の自動車のブレーキシステムに装備されるピストンポンプのように騒音の発生を厳しく嫌う用途のピストンポンプ駆動部の支持構造には適用できない問題がある。
【００１４】
そこで、この発明の課題は、ピストンポンプ駆動部の支持構造に用いられるシェル型針状ころ軸受を長寿命化することと、使用中の音響レベルを低減することである。
【課題を解決するための手段】
【００１５】
上記の課題を解決するために、この発明は、ピストンポンプの駆動部をモータ出力軸の偏心部に嵌着した針状ころ軸受で衝合支持するピストンポンプ駆動部の支持構造において、前記針状ころ軸受を、プレス加工で形成されるシェル型外輪の内径面に沿って複数の針状ころを配列したシェル型針状ころ軸受とし、前記外輪の内径面の周方向面粗度をＲａ０．０５〜０．３μｍの数値範囲に規制した構成を採用した。
【００１６】
前記外輪内径面の周方向面粗度の下限をＲａ０．０５μｍとしたのは、これよりも周方向面粗度が細かくなって内径面が滑らかになり過ぎると、転走する針状ころの弾性接触領域に保持される潤滑油が少なくなり、スミアリング等の表面損傷が生じやすくなるからである。周方向面粗度の上限をＲａ０．３μｍとしたのは、以下の理由による。
【００１７】
本発明者は、シェル型外輪の内径面の面粗度を変えたシェル型針状ころ軸受について、回転試験機を用いた音響測定試験を行い、内径面の周方向面粗度を細かくすると軸受の音響レベルが効果的に低減されることを知見し、後の図５に示すように、これをＲａ０．３μｍ以下にすると、音響レベルを厳しく要求される用途の軸受にも十分適用できることを確認した。
【００１８】
この内径面の周方向面粗度が音響レベルの低減に特に効果があるのは、つぎのように考えられる。すなわち、針状ころのころ径に対してころの回転方向の凹凸（周方向面粗度）がある程度以上に粗くなると、針状ころの上下振動が大きくなって大きな音響が発生する。針状ころのころ径は比較的小さいので、周方向面粗度がＲａ０．３μｍを超えると、大きな音響が発生するものと思われる。
【００１９】
また、この発明は、ピストンポンプの駆動部をモータ出力軸の偏心部に嵌着した針状ころ軸受で衝合支持するピストンポンプ駆動部の支持構造において、前記針状ころ軸受を、プレス加工で形成されるシェル型外輪の内径面に沿って複数の針状ころを配列したシェル型針状ころ軸受とし、前記外輪の内径真円度を１０μｍ以下の数値範囲に規制した構成も採用した。
【００２０】
前記外輪の内径真円度の数値範囲を１０μｍ以下としたのは以下の理由による。本発明者は、シェル型外輪の内径真円度を変えたシェル型針状ころ軸受について軸受寿命試験を行い、後の図６に示すように、内径真円度と軸受寿命は良い相関関係を有し、内径真円度を１０μｍ以下にすると、厳しい使用条件下でも十分な長寿命化を達成できることを確認した。
【００２１】
さらに、この発明は、ピストンポンプの駆動部をモータ出力軸の偏心部に嵌着した針状ころ軸受で衝合支持するピストンポンプ駆動部の支持構造において、前記針状ころ軸受を、プレス加工で形成されるシェル型外輪の内径面に沿って複数の針状ころを配列したシェル型針状ころ軸受とし、前記外輪の筒部偏肉量を１０μｍ未満の数値範囲に規制した構成も採用した。
【００２２】
前記外輪の筒部偏肉量を１０μｍ未満の数値範囲に規制したのは以下の理由による。本発明者は、シェル型外輪の筒部偏肉量を変えたシェル型針状ころ軸受について軸受寿命試験を行い、後の図７に示すように、外輪の筒部偏肉量と軸受寿命は良い相関関係を有し、軸方向偏肉量を１０μｍ未満にすると、厳しい使用条件下でも十分な長寿命化を達成できることを確認した。
【００２３】
前記シェル型外輪の内径真円度や筒部偏肉量の低減が軸受の長寿命化に効果があるのは、内径面での針状ころの転走が円滑になり、ころのスリップやがたつき等による内径面での局部的な摩耗や応力集中が抑制されるためと考えられる。
【００２４】
前記外輪の内径面の周方向面粗度、内径真円度および筒部偏肉量の少なくともいずれかを前記数値範囲に規制する手段としては、前記シェル型外輪を形成するプレス加工にしごき工程を設け、このしごき工程における前記外輪の外径面となる外径側しごき面での潤滑条件を、略流体潤滑状態とする手段を採用することができる。
【００２５】
本発明者は、プレス試験機を用いて、ＳＣＭ４１５鋼板の絞りしごき試験を行い、カップ成形物の内外径面の面粗度、内径真円度および筒部偏肉量を調査した。この結果、ダイス側（カップ成形物の外径側しごき面）に潤滑性の優れた高粘度プレス加工油を塗布すると、シェル型外輪の内径面となるカップ成形物の内径面における面粗度が外径面よりも細かくなること、および内径真円度と筒部偏肉量が改善されることを見出した。
【００２６】
まず、前記面粗度の調査結果については、図８にその一例を示すが、ブランク素材の面粗度は表裏面ともＲａ０．４９μｍ程度であるのに対して、カップ成形物内径面の面粗度はＲａ０．１５μｍと非常に細かくなっている。カップ成形物外径面の面粗度はＲａ０．４４μｍであり、ブランク素材の面粗度とあまり変わっていない。なお、図８に示すカップ成形物内外径面の面粗度は、いずれも軸方向に測定したものであるが、周方向に測定した面粗度もこれらとほぼ同等であった。この測定結果は、通常の絞りしごき加工で観察されるものと逆であり、通常の絞りしごき加工では、ダイスでしごかれるカップ成形物外径面の方が細かい面粗度となり、内径面の面粗度はブランク素材の面粗度とあまり変わらない。
【００２７】
これらの調査結果は、以下のように考えられる。すなわち、カップ成形物外径面の面粗度が素材の面粗度とあまり変わらなかったのは、カップ成形物の外径側しごき面では、加工される素材とダイスが殆ど接触しない略流体潤滑状態であったと考えられる。このようにダイス側の潤滑条件を略流体潤滑状態にすると、ダイスとの摩擦に起因する外径側しごき面での剪断力が殆どなくなって、ポンチとダイスの間のしごき部における応力が板厚方向で均一な圧縮応力状態となり、つぎの図９で検証されるように、素材が板厚方向で均一に減厚変形するようになる。
【００２８】
図９は、前記カップ成形物の上端部の板厚断面写真を示す。上記推定を検証するように、ダイス側に潤滑性の優れたプレス加工油を塗布したカップ成形物の上端部は、板厚方向で均一に軸方向へ延伸している。このように、素材が板厚方向で均一に減厚変形して軸方向へ延伸すると、ポンチに接触するカップ成形物の内径面がポンチ表面に沿って軸方向へ相対移動し、この相対移動によるポンチ表面との摺動で内径面の面粗度が細かくなったものと考えられる。一方、通常の絞りしごき加工によるカップ成形物の上端部は、外径面側が著しく軸方向に延伸している。これは、ダイスとの摩擦に起因する剪断力でカップ成形物の外径面側が優先的に減厚変形し、内径面側があまり減厚変形しないからである。このように、内径面側があまり減厚変形しない通常の絞りしごき加工では、カップ成形物の内径面がポンチ表面と殆ど相対移動しないので、その面粗度は素材とあまり変わらない。
【００２９】
前記外径側しごき面での潤滑条件を略流体潤滑状態とする加工方法では、図９に示したように、カップ成形物の上端面が板厚方向で均一になるので、ブランク径を小さくして歩留も向上させることができる。また、ブランク径を小さくすることにより、絞り加工に必要なプレス荷重も低減される。
【００３０】
つぎに、前記内径真円度と筒部偏肉量については、後の表１に示すように、内径真円度は１０μｍ以下に、筒部偏肉量は１０μｍ未満に低減されることを確認した。これらの調査結果は、以下のように考えられる。すなわち、上述したように、しごき加工におけるダイス側の潤滑条件が略流体潤滑状態とされて素材が板厚方向で均一に減厚変形すると、カップ成形物の筒部偏肉量が低減されるととともに、ポンチに接触するカップ成形物の内径面がポンチ表面に沿って軸方向へ相対移動してポンチ外径面の形状になじみ、ポンチから離型後もカップ成形物の内径真円度が良好に保持されるものと考えられる。一方、通常の絞りしごき加工では、カップ成形物の内径面側はあまり減厚変形せず、ポンチ表面とも殆ど相対移動しないので、カップ成形物の内径真円度や筒部偏肉量はあまり改善されない。
【発明の効果】
【００３１】
この発明のピストンポンプ駆動部の支持構造は、モータ出力軸の偏心部に嵌着される針状ころ軸受を、プレス加工で形成されるシェル型外輪の内径面に沿って複数の針状ころを配列したシェル型針状ころ軸受とし、このシェル型外輪の内径面の周方向面粗度をＲａ０．０５〜０．３μｍの数値範囲に規制するようにしたので、ピストンポンプ作動中の音響レベルを低減することができる。
【００３２】
また、この発明のピストンポンプ駆動部の支持構造は、モータ出力軸の偏心部に嵌着される針状ころ軸受を、プレス加工で形成されるシェル型外輪の内径面に沿って複数の針状ころを配列したシェル型針状ころ軸受とし、このシェル型外輪の内径真円度を１０μｍ以下の数値範囲に規制するか、または、筒部偏肉量を１０μｍ未満の数値範囲に規制するようにしたので、その寿命を延長することができる。
【００３３】
前記外輪の内径面の周方向面粗度、内径真円度および筒部偏肉量の少なくともいずれかを前記数値範囲に規制する手段を、シェル型外輪を形成するプレス加工にしごき工程を設け、このしごき工程における外輪の外径面となる外径側しごき面での潤滑条件を略流体潤滑状態とすることにより、カップ成形物の上端面が板厚方向で均一に近くなるので、ラブランク径を小さくして歩留を向上させるとともに、絞り加工に必要なプレス荷重も低減することができる。
【発明を実施するための最良の形態】
【００３４】
以下、図面に基づき、この発明の実施形態を説明する。図１は、本発明に係るピストンポンプ駆動部の支持構造を採用した自動車のＡＢＳ用ピストンポンプ１と、これを駆動する電動モータ２を示す。電動モータ２の出力軸であるアーマチュア３のアーマチュアシャフト４は、ポンプハウジング５にピストンポンプ１と直角に形成された凹部５ａに一対の玉軸受６で支持され、その偏心部４ａに嵌着されたシェル型針状ころ軸受７に、ピストンポンプ１のピストン８が衝合支持されている。したがって、電動モータ２を回転駆動することにより、シェル型針状ころ軸受７に衝合支持されたピストン８が往復駆動され、ブレーキ液がポンプハウジング５に設けられた吸引口９から吸引されて、吐出口１０から吐出される。なお、図示は省略するが、吸引口９はリザーバタンクに接続され、吐出口１０はマスタシリンダに接続される。
【００３５】
前記ピストン８を衝合支持するシェル型針状ころ軸受７は、図２に示すように、プレス加工で形成されたＳＣＭ４１５製シェル型外輪１１の内径面１２に沿って、複数の針状ころ１３を配列したものであり、各針状ころ１３は、同じくプレス加工で形成されたＳＰＣＣ製保持器１４によって保持されている。
【００３６】
図３は、前記シェル型外輪１１を製造する概略の工程を示す。まずプレス加工により、ＳＣＭ４１５リン酸塩皮膜処理鋼鈑の円形ブランクが、１回の絞りしごき工程でカップ成形物とされ、決め押し工程でカップ底コーナ部が所定のコーナ半径に決め押し成形される。絞りしごき工程では、ダイス側に潤滑性の優れたプレス加工油が塗布され、外径側しごき面での潤滑条件が略流体潤滑状態とされる。つぎに、底抜き工程でカップ底中央部が打ち抜かれて外輪１１の一方の鍔１１ａが形成され、トリミング工程でカップ上端部が均一な高さにトリミングされる。こののち、プレス加工された外輪１１は、熱処理工程で浸炭焼入れ、焼戻し処理を施され、最後の組立て工程で、他方の鍔１１ｂが内方への折り曲げ加工により形成される。
【００３７】
上述した実施形態では、シェル型外輪１１のプレス加工における絞り工程を１回のみとし、しごき工程をこの１回の絞り工程と同時に行う絞りしごき工程としたが、絞り工程を３回以下の複数回とし、しごき工程を最終回の絞り工程と同時に行う絞りしごき工程としてもよく、しごき工程を絞り工程または決め押し工程の後で別に行ってもよい。
【実施例１】
【００３８】
図３の製造工程で製造した実施例のシェル型外輪について、内径面の面粗度、内径真円度および筒部偏肉量を測定した。測定した外輪の寸法は、外径２８ｍｍ、長さ１６ｍｍ、肉厚０．９５ｍｍであり、内径面の面粗度の測定は、外輪を半円筒状に２分割して行った。
【００３９】
前記内径面の面粗度は周方向と軸方向に測定し、周方向面粗度は、外輪の両端から各２ｍｍの位置と長さ方向中央位置の３箇所で、軸方向面粗度は、周方向に９０°の位相の４箇所で測定した。なお、図８に示したように、ブランク素材の面粗度は表裏面ともＲａ０．４９μｍ程度、外輪の外径面の面粗度はＲａ０．４４μｍ程度である。
【００４０】
図４（ａ）、（ｂ）は、上記面粗度の測定結果の一例を示す。図４（ａ）は、外輪の長さ方向中央位置で測定した周方向面粗度であり、Ｒａ０．１８μｍと非常に細かくなっている。図示は省略するが、両端から各２ｍｍの位置で測定した周方向面粗度もＲａ０．０５〜０．３μｍの範囲にあり、ブランク素材や外径面の面粗度よりも細かくなっている。図４（ｂ）は、１つの位相で測定した軸方向面粗度であり、Ｒａ０．１５μｍとなっている。図示は省略するが、他の位相で測定した軸方向面粗度も、いずれもＲａ０．３μｍ以下と非常に細かくなっていた。
【００４１】
上記実施例の外輪内径面の周方向面粗度をＲａ０．０５〜０．３μｍとしたシェル型針状ころ軸受と、同一軸受寸法で、外輪内径面の周方向面粗度がＲａ０．３μｍを超える比較例のシェル型針状ころ軸受を用意し、これらを回転試験機に取り付けて、音響測定試験を行った。試験条件は、以下の通りである。
・回転速度：４８００ｒｐｍ
・ラジアル荷重：１８０Ｎ
・潤滑：粘度２ｃＳｔ油塗布
・音響測定位置：軸受から４５°方向で距離１００ｍｍの位置
【００４２】
図５は、上記音響測定試験における音響レベルの測定結果を示す。この測定結果より、内径面の周方向面粗度をＲａ０．０５〜０．３μｍとした実施例のものは、いずれも音響レベルが６０ｄＢ以下となり、比較例のものに較べて音響レベルが著しく低減されていることが分かる。
【実施例２】
【００４３】
表１は、図３の製造工程で製造したシェル型外輪（実施例Ａ〜Ｆ）と、従来の製造工程で製造したシェル型外輪（比較例Ａ〜Ｆ）について、その内径真円度と筒部偏肉量を測定した結果を示す。測定した外輪の寸法は、外径２８ｍｍ、長さ１６ｍｍ、肉厚０．９５ｍｍである。内径真円度と筒部偏肉量の軸方向での測定位置は、前記内径面の周方向面粗度の測定位置と同じ３箇所とし、筒部偏肉量については、これらの各軸方向位置で周方向に９０°の位相で４箇所、合計１２箇所で測定した。実施例のものは、いずれも内径真円度が１０μｍ以下、筒部偏肉量が１０μｍ未満となっている。なお、比較例Ａは、特許文献３に記載された製造方法で製造したものである。
【００４４】
【表１】
2005105856.tif 000003
【００４５】
表１に示した実施例および比較例のシェル型針状ころ軸受について、軸受寿命試験を行った。各実施例および比較例のサンプル数は８個とし、軸受寿命はＬ１０寿命（サンプルの９０％が破損しないで使える時間）で評価した。試験条件は、以下の通りである。
・アキシアル荷重：９．８１ｋＮ
・回転速度：５０００ｒｐｍ
・潤滑油：スピンドル油ＶＧ２
【００４６】
図６は、上記軸受寿命試験における内径真円度とＬ１０寿命の関係を示す。シェル型外輪の内径真円度が１０μｍ以下である各実施例のものは、いずれもＬ１０寿命が２００時間を超え、軸受寿命が大幅に延長されていることが分かる。なお、内径真円度が１０μｍを超える比較例のものは、最も優れた比較例ＡでもＬ１０寿命が２００時間に満たない。
【００４７】
図７は、上記軸受寿命試験における筒部偏肉量とＬ１０寿命の関係を示す。筒部偏肉量についても、１０μｍ未満である各実施例のものはいずれもＬ１０寿命が２００時間を超え、軸受寿命が大幅に延長されている。
【図面の簡単な説明】
【００４８】
【図１】本発明に係るピストンポンプ駆動部の支持構造を採用した自動車のＡＢＳ用ピストンポンプと電動モータを示す縦断面図
【図２】図１のシェル型針状ころ軸受を示す縦断面図
【図３】図２のシェル型針状ころ軸受の概略の製造工程を示す工程図
【図４】ａ、ｂは、それぞれ図３の製造工程で製造したシェル型外輪内径面の周方向と軸方向の面粗度を示すグラフ
【図５】シェル型針状ころ軸受の音響測定試験における外輪内径面の周方向面粗度と音響レベルの関係を示すグラフ
【図６】シェル型針状ころ軸受の軸受寿命試験におけるシェル型外輪の内径真円度とＬ１０寿命の関係を示すグラフ
【図７】シェル型針状ころ軸受の軸受寿命試験におけるシェル型外輪の筒部偏肉量とＬ１０寿命の関係を示すグラフ
【図８】絞りしごき試験におけるカップ成形物内外径面の面粗度とブランク素材の面粗度を示すグラフ
【図９】絞りしごき試験におけるカップ成形物上端部の板厚断面写真
【符号の説明】
【００４９】
１  ピストンポンプ
２  電動モータ
３  アーマチュア
４  アーマチュアシャフト
４ａ  偏心部
５  ポンプハウジング
５ａ  凹部
６  玉軸受
７  シェル型針状ころ軸受
８  ピストン
９  吸引口
１０  吐出口
１１  シェル型外輪
１１ａ、１１ｂ  鍔
１２  内径面
１３  針状ころ
１４  保持器
【図１】
2005105856.tif 000004
【図２】
2005105856.tif 000005
【図３】
2005105856.tif 000006
【図４】
2005105856.tif 000007
【図５】
2005105856.tif 000008
【図６】
2005105856.tif 000009
【図７】
2005105856.tif 000010
【図８】
2005105856.tif 000011
【図９】
2005105856.tif 000012